(57)【要約】【課題】パレットに載置して使用される包装箱において、積み重ねのための十分な耐積載荷重を低コストで実現可能とし、かつ組立工数の削減および保管場所の削減を可能とする包装箱を得ること。【解決手段】第１の側板１４と、第１の側板１４に連設された第２の側板１５と、第１の側板１４に連設された外フラップ１１と、第２の側板１５に連設された内フラップ１２と、を備える二つの包装材を有し、各包装材は、第２の側板１５に連設された胴貼フラップ１３を備え、二つの包装材は、一方の包装材の第１の側板１４に、他方の包装材の胴貼フラップ１３を重ね合わせて、組み合わせられている。【選択図】図２
2012218750.tif 000002
【特許請求の範囲】
【請求項１】
第１の側板と、
前記第１の側板に連設された第２の側板と、
前記第１の側板に連設された外フラップと、
前記第２の側板に連設された内フラップと、を備える二つの包装材を有し、
各包装材は、前記第２の側板に連設された胴貼フラップを備え、
二つの前記包装材は、一方の包装材の前記第１の側板に、他方の包装材の前記胴貼フラップを重ね合わせて、組み合わせられていることを特徴とする包装箱。
【請求項２】
前記包装箱を載置したときにおける前記第１の側板の水平方向の幅を第１水平幅、前記第２の側板の水平方向の幅を第２水平幅、とすると、
前記外フラップは、前記第１水平幅に対して垂直な方向における長さが、前記第２水平幅の半分の長さより長くなるように形成されていることを特徴とする請求項１に記載の包装箱。
【請求項３】
前記包装箱は、前記第１の側板の前記水平方向の幅に沿うように互いに平行に設けられた二つの底板を備えるパレットに載置され、
前記外フラップは、前記第１水平幅に対して垂直な方向における長さが、前記第２水平幅から前記底板の幅を差し引いた長さよりも短くなるように形成されていることを特徴とする請求項２に記載の包装箱。
【請求項４】
前記包装箱を載置したときにおける前記外フラップおよび前記第１の側板の間の折り曲げ位置の高さが、前記内フラップおよび前記第２の側板の間の折り曲げ位置の高さに対して、前記包装材の厚み以上高くなるように構成されていることを特徴とする請求項１から３のいずれか一つに記載の包装箱。
【請求項５】
二つの前記包装材は、展開状態としたときに同じ構成をなしていることを特徴とする請求項１から４のいずれか一つに記載の包装箱。
【発明の詳細な説明】
【技術分野】
【０００１】
本発明は、製品等を収納して輸送する包装箱に関する。
【背景技術】
【０００２】
包装箱に入れられた製品は、輸送効率を高めるために、多段に積み重ねて輸送や保管がなされるのが一般的である。包装箱の材料や構造は、製品の重量や形状に合わせて決定されている。包装箱に入れられた製品を積み重ね可能とする数は、保管場所や輸送機器の高さのみならず、包装箱の耐積載荷重に大きく依存することとなる。特に、製品が重量物となると、包装箱には十分な耐積載荷重が求められることとなるため、高価な包装材の使用や補強部材の使用が必要となる。さらに、人手により重量物を運搬することが困難であって、フォークリフトやクレーン等の機械荷役を使用する場合は、包装箱を載置するパレットを使用する。
【０００３】
従来の包装箱として、例えば特許文献１には、箱体内側の四隅に、箱体の高さ方向に亘る補強部を設けた包装箱が開示されている。特許文献２には、折り曲げにより箱体の蓋とする四枚のフラップのそれぞれの長さを、隣接するフラップの幅と同じとする包装箱が開示されている。特許文献３には、箱体および仕切材を一枚のブランクシートに形成した包装箱が開示されている。特許文献４には、内フラップを使用することで、別途製作される補強部材を用いずに耐積載荷重を増大可能とする包装箱が開示されている。
【先行技術文献】
【特許文献】
【０００４】
【特許文献１】特開平８−２７６９５７号公報
【特許文献２】実開平１−８５２０７号公報
【特許文献３】実用新案登録第３０６４７８４号公報
【特許文献４】特開２００８−１２７０５０号公報
【発明の概要】
【発明が解決しようとする課題】
【０００５】
特許文献１に開示されている大型の液体輸送容器用の包装箱は、液体輸送容器を挿入するときの箱内のエアー抜きと、積載時の胴膨れ防止のための空気抜用孔を補強部に形成する。この構成は、包装箱の天面を開口として液体輸送容器を挿入することを前提としており、製品の上から被せる包装箱への応用が困難である。
【０００６】
特許文献２に開示されている包装箱は、天面を四層構造とすることで、包装箱の強度を高めることとしている。しかし、包装箱の耐積載荷重は、包装箱の側面の強度の寄与が大きいことから、耐積載荷重を向上させる手段として天面のみの補強が効果的とは言い難く、また材料の使用量が多いためコストが増加することになる。
【０００７】
特許文献３に開示されている包装箱は、一枚の包装材からなる仕切材を箱体内に設ける構成をなすことから、一つの包装箱で複数の製品を輸送する場合に適している。その一方で、一個の製品を輸送する場合は、使用できる容積が仕切材により制限されることとなる。また、包装箱が一旦組み立てられてからの折り畳みが考慮されていないことから、例えば、製品を入れる前に組み立てられた包装箱を保管するためのスペースを確保するか、製品を入れる作業とともに包装箱を組み立てる手間が生じることとなる。
【０００８】
特許文献４に開示されている包装箱は、耐積載荷重にかかる問題に臨機応変に対処するために、内フラップを折り曲げて仕切材とする構造を採用している。しかし、その対処は応急処置に過ぎないことから、かかる包装箱を量産品に使用し続けると、何らかの問題が生じた場合に、仕切材の組立工数の増加、包装箱の構造の見直し等が必要となる。
【０００９】
本発明は、上記に鑑みてなされたものであって、パレットに載置して使用される包装箱において、積み重ねのための十分な耐積載荷重を低コストで実現可能とし、かつ組立工数の削減および保管場所の削減を可能とする包装箱を得ることを目的とする。
【課題を解決するための手段】
【００１０】
上述した課題を解決し、目的を達成するために、本発明は、第１の側板と、前記第１の側板に連設された第２の側板と、前記第１の側板に連設された外フラップと、前記第２の側板に連設された内フラップと、を備える二つの包装材を有し、各包装材は、前記第２の側板に連設された胴貼フラップを備え、二つの前記包装材は、一方の包装材の前記第１の側板に、他方の包装材の前記胴貼フラップを重ね合わせて、組み合わせられていることを特徴とする。
【発明の効果】
【００１１】
本発明によれば、包装箱は、側板と、補強部材となる胴貼フラップとを二層構造とすることで、側面の十分な強度を確保している。また、包装箱は、二枚の包装材を接合した状態での折り畳みを可能とする。包装箱は、例えば、折り畳まれた状態で製函メーカから納入され、使用時に開くだけとする構成にでき、輸送効率、梱包の作業性、保管性に優れている。
【図面の簡単な説明】
【００１２】
【図１】図１は、本発明にかかる包装箱の実施の形態の外観を示す斜視図である。
【図２】図２は、天面を開いた状態とした包装箱の斜視図である。
【図３】図３は、パレットの斜視図である。
【図４】図４は、包装箱を構成する二つの包装材を示す斜視図である。
【図５】図５は、図４に示す一つの包装材の展開図である。
【図６】図６は、パレットに載置された包装箱を二段積みした状態を示す斜視図である。
【図７】図７は、図６に示す状態から、さらに輸送時の封かんを施した状態を示す斜視図である。
【発明を実施するための形態】
【００１３】
以下に、本発明にかかる包装箱の実施の形態を図面に基づいて詳細に説明する。なお、この実施の形態によりこの発明が限定されるものではない。
【００１４】
実施の形態．
図１は、本発明にかかる包装箱の実施の形態の外観を示す斜視図である。図２は、天面を開いた状態とした包装箱の斜視図である。包装箱１は、外フラップ１１、内フラップ１２、胴貼フラップ１３、第１の側板１４および第２の側板１５を備える。包装箱１は、パレット２上の製品を四方および上方から覆うように、パレット２上に載置して使用される。
【００１５】
図３は、パレットの斜視図である。パレット２は、二枚の固定板２１および二枚の底板２２を有する。固定板２１は、パレット２上に載置される包装箱１の位置決めのために設けられている。包装箱１は、第１の側板１４および第２の側板１５の少なくとも一部について、パレット２側の端部のうちの内面側部分を固定板２１に当接させることで、パレット２上に固定される。なお、固定板２１は、包装箱１の位置決めを可能とするものであれば良く、図示する形状である場合に限られない。
【００１６】
図４は、包装箱を構成する二つの包装材を示す斜視図である。図５は、図４に示す一つの包装材の展開図である。各包装材３は、外フラップ１１、内フラップ１２、胴貼フラップ１３、第１の側板１４および第２の側板１５を備える。包装材３を展開状態とすると、第１の側板１４、第２の側板１５および胴貼フラップ１３は、一方向へ並列するように連設されている。包装材３は、ダンボールシート、板紙、プラスチックダンボールシート等、いずれの材料を使用するものであっても良い。
【００１７】
外フラップ１１は、第１の側板１４に連設されている。内フラップ１２は、第２の側板１５に連設されている。包装材３は、図５に示す展開状態から各連設部分が垂直に折り曲げられることにより、図４に示す状態となる。包装箱１は、図４に示すように折り曲げられた状態の二つの包装材３を組み合わせて、構成されている。
【００１８】
第１の側板１４に対して折り曲げられた外フラップ１１と、第２の側板１５に対して折り曲げられた内フラップ１２とは、包装箱１の天面を塞ぐ蓋として機能する。包装箱１を載置したときにおける第１の側板１４の水平方向の幅を第１水平幅、第２の側板１５の水平方向の幅を第２水平幅、とすると、外フラップ１１は、第１水平幅に対して垂直な方向における長さが、第２水平幅の半分の長さより長くなるように形成されている。これにより、包装箱１は、内フラップ１２の上から外フラップ１１を閉じることで、各包装材３の外フラップ１１の一部同士が重なり合って、天面が塞がれる。
【００１９】
第１の側板１４の水平方向における幅と、胴貼フラップ１３の水平方向における幅とは、略同じとされている。また、第１の側板１４の垂直方向における高さと、胴貼フラップ１３の垂直方向における高さとは、略同じとされている。
【００２０】
二つの包装材３は、一方の包装材３の第１の側板１４に、他方の包装材３の胴貼フラップ１３が重ね合わされて、組み合わせられる。二つの包装材３を組み合わせた状態において、第１の側板１４と胴貼フラップ１３とは平行となる。第１の側板１４および胴貼フラップ１３は、幅を略同じとし、かつ高さを略同じとすることで、略全体が完全な二層構造を構成する。
【００２１】
二つの包装材３は、一方の包装材３の第１の側板１４と、他方の包装材３の胴貼フラップ１３とが、第１の接合部１６および第２の接合部１７において接合されている。第１の接合部１６および第２の接合部１７は、それぞれ、例えば接着剤による接着、ワイヤによる固定等を用いて、第１の側板１４と胴貼フラップ１３とを接合する。
【００２２】
本実施の形態にかかる包装箱１は、二つの包装材３を接合させた状態で折り畳むことができる。包装箱１は、折り畳んだ状態とすることで、保管場所の削減や、製函メーカ等からの効率的な輸送が可能となる。包装箱１は、折り畳まれた状態から開くことで、容易に使用可能である。このため、包装箱１は、梱包の作業性を向上させることができる。
【００２３】
包装箱１を構成する二つの包装材３は、図５に示す展開状態としたときに同じ構成をなしている。同じ展開図の二つの包装材３を使用することで、二種類の展開図および抜き型を用意しなくても包装箱１を製造することが可能となる。
【００２４】
また、外フラップ１１と内フラップ１２の折り曲げによる重なりを考慮して、包装箱１は、包装箱１を載置したときにおける外フラップ１１および第１の側板１４の間の折り曲げ位置の高さが、内フラップ１２および第２の側板１５の間の折り曲げ位置の高さに対して、包装材３の厚み以上高くなるように構成されている。
【００２５】
図６は、パレットに載置された包装箱を二段積みした状態を示す斜視図である。パレット２の二つの底板２２は、第１の側板１４の水平方向の幅に沿うように互いに平行に設けられている。外フラップ１１は、第１水平幅に対して垂直な方向における長さが、第２水平幅から底板２２の幅を差し引いた長さよりも短くなるように形成されている。
【００２６】
パレット２に載置された包装箱１を積載したとき、二つの底板２２は、パレット２の下の包装箱１のうち二つの外フラップ１１が重なる部分以外の部分に載置される。二つの底板２２の高さを同じとすることで、包装箱１上にてパレット２を安定して載置可能とし、荷崩れを低減させることができる。
【００２７】
図７は、図６に示す状態から、さらに輸送時の封かんを施した状態を示す斜視図である。外フラップ１１および内フラップ１２を重ね合わせることで、包装箱１の天面に隙間を無くすことができる。これにより、テープを使用せずバンド３０のみによる封かんとすることができる。
【００２８】
本実施の形態は、底面を構成するフラップを備える包装箱に応用しても良い。底面をフラップにより構成する包装箱についても、本発明の適用により、積み重ねのための十分な耐積載荷重を低コストで実現可能とし、かつ組立工数の削減および保管場所の削減が可能となる。
【産業上の利用可能性】
【００２９】
以上のように、本発明にかかる包装箱は、積み重ねに十分な強度を備え、材料コストを低減可能とすることで、製品を輸送する場合等に有用である。
【符号の説明】
【００３０】
１  包装箱
２  パレット
３  包装材
１１  外フラップ
１２  内フラップ
１３  胴貼フラップ
１４  第１の側板
１５  第２の側板
１６  第１の接合部
１７  第２の接合部
２１  固定板
２２  底板
３０  バンド
【図１】
2012218750.tif 000003
【図２】
2012218750.tif 000004
【図３】
2012218750.tif 000005
【図４】
2012218750.tif 000006
【図５】
2012218750.tif 000007
【図６】
2012218750.tif 000008
【図７】
2012218750.tif 000009